(57)【要約】【課題】パッケージの挿抜時にバスライン上の信号に乱れが生じることを防止可能な活線挿抜方法を提供する。【解決手段】活線挿抜パッケージＰＫＧ２内に、活線挿抜パッケージＰＫＧ２のコネクタＣＮ２の着脱に際し、外部からの電源供給ＬＶＣＣの開始または終了を検知した際に、バックボードパッケージＰＫＧ１内のバスラインＢＵＳ１０と活線挿抜パッケージＰＫＧ２内の各回路部とを接続する各信号線の接続状態を開放するバススイッチ素子ＩＣ１を備え、かつ、前記各回路部に対して電源供給ＶＣＣを開始または終了するまでの時点を、バススイッチ素子ＩＣ１への電源供給の開始時点または終了時点から、あらかじめ定めた所定遅延時間だけ遅延させる電源遅延回路ＤＣ１を備える。前記各回路部に対する電源供給ＶＣＣが開始された後あらかじめ定めた一定時間経過した後、バススイッチ素子ＩＣ１を閉成状態に切り替える。【選択図】図１
2008269376.tif 000002
【特許請求の範囲】
【請求項１】
信号を伝搬するバスラインに接続するパッケージを通電状態のまま着脱する活線挿抜方法において、前記パッケージ内に、外部からの電源供給の開始または終了を検知した際に、前記バスラインと当該パッケージ内の各回路部とを接続する各信号線の接続状態を開放するバススイッチ素子を備え、前記バススイッチ素子以外の当該パッケージ内の各回路部に対する電源供給を開始または終了するまでの時点を、前記バススイッチ素子への電源供給の開始時点または終了時点から、あらかじめ定めた所定遅延時間だけ遅延させることを特徴とする活線挿抜方法。
【請求項２】
前記バススイッチ素子以外の当該パッケージ内の各回路部に対する電源供給が開始された後あらかじめ定めた一定時間経過した後、前記バススイッチ素子を閉成状態に切り替えることを特徴とする請求項１に記載の活線挿抜方法。
【請求項３】
信号を伝搬するバスラインに接続するパッケージを通電状態のまま着脱する活線挿抜方法において、前記パッケージ内に、外部からの電源供給の開始または終了を検知した際に、前記バスラインと当該パッケージ内の各回路部とを接続する各信号線の接続状態を開放するバススイッチ素子を備え、当該パッケージがバスマスタの場合、前記バススイッチ素子以外の当該パッケージ内の各回路部から前記バスラインに対するアクセス要求が発生した際に、前記バススイッチ素子を閉成させるストローブ信号を出力することを特徴とする活線挿抜方法。
【請求項４】
信号を伝搬するバスラインに接続するパッケージを通電状態のまま着脱する活線挿抜方法において、前記パッケージ内に、外部からの電源供給の開始または終了を検知した際に、前記バスラインと当該パッケージ内の各回路部とを接続する各信号線の接続状態を開放するバススイッチ素子を備え、当該パッケージがバススレーブの場合、前記バスラインから前記バススイッチ素子以外の当該パッケージ内の各回路部に対するアクセス要求が発生した際に、前記バススイッチ素子を閉成させるストローブ信号を出力することを特徴とする活線挿抜方法。
【請求項５】
前記パッケージ内に外部から電源供給を行うためのコネクタと前記バスラインに接続する各信号線用のコネクタとが、同一のコネクタから構成されていることを特徴とする請求項１ないし４のいずれかに記載の活線挿抜方法。
【請求項６】
前記パッケージ内に外部から電源供給を行うためのコネクタと前記バスラインに接続する各信号線用のコネクタとが、別個のコネクタから構成されていることを特徴とする請求項１ないし４のいずれかに記載の活線挿抜方法。
【請求項７】
信号を伝搬するバスラインに対して通電状態のまま着脱する活線挿抜パッケージにおいて、外部からの電源供給の開始または終了を検知した際に、前記バスラインと当該活線挿抜パッケージ内の各回路部とを接続する各信号線の接続状態を開放するバススイッチ素子を備え、かつ、前記バススイッチ素子以外の当該活線挿抜パッケージ内の各回路部に対する電源供給を開始または終了するまでの時点を、前記バススイッチ素子への電源供給の開始時点または終了時点から、あらかじめ定めた所定遅延時間だけ遅延させる電源供給遅延手段を備えていることを特徴とする活線挿抜パッケージ。
【請求項８】
前記バススイッチ素子以外の当該活線挿抜パッケージ内の各回路部に対する電源供給が開始された後あらかじめ定めた一定時間経過した後、前記バススイッチ素子を閉成状態に切り替えることを特徴とする請求項７に記載の活線挿抜パッケージ。
【請求項９】
信号を伝搬するバスラインに対して通電状態のまま着脱する活線挿抜パッケージにおいて、外部からの電源供給の開始または終了を検知した際に、前記バスラインと当該活線挿抜パッケージ内の各回路部とを接続する各信号線の接続状態を開放するバススイッチ素子を備え、当該活線挿抜パッケージがバスマスタの場合、前記バススイッチ素子以外の当該活線挿抜パッケージ内の各回路部から前記バスラインに対するアクセス要求が発生した際に、前記バススイッチ素子を閉成させるストローブ信号を出力することを特徴とする活線挿抜パッケージ。
【請求項１０】
信号を伝搬するバスラインに対して通電状態のまま着脱する活線挿抜パッケージにおいて、外部からの電源供給の開始または終了を検知した際に、前記バスラインと当該活線挿抜パッケージ内の各回路部とを接続する各信号線の接続状態を開放するバススイッチ素子を備え、当該活線挿抜パッケージがバススレーブの場合、前記バスラインから前記バススイッチ素子以外の当該活線挿抜パッケージ内の各回路部に対するアクセス要求が発生した際に、前記バススイッチ素子を閉成させるストローブ信号を出力することを特徴とする活線挿抜パッケージ。
【発明の詳細な説明】
【技術分野】
【０００１】
本発明は、活線挿抜方法および活線挿抜パッケージに関し、特に、低速のバスラインに接続される活線挿抜方法および活線挿抜パッケージに関する。
【背景技術】
【０００２】
一般に、稼働中の低速パラレルバス等の信号バスラインに接続されるパッケージ（Ｐａｃｋａｇｅ：ＰＫＧと略記する）を活線挿抜する際に、何らの考慮も行なわずに、通電中の状態でパッケージＰＫＧを抜き差しすると、当該パッケージＰＫＧが接続される信号バスライン上を伝搬する信号に対して多大な影響を与えてしまう。
【０００３】
このため、信号バスラインに対するかかる影響を防止するために、従来は、図６に示すように、バスラインＢＵＳ１０と接続される活線挿抜パッケージＰＫＧ２Ｚの各信号線に直列（シリーズ）に抵抗Ｒ１，Ｒ２，…，Ｒｎを挿入して、バスラインＢＵＳ１０上に生じる反射等の低減を行なっているが、活線挿抜時には、回路の浮遊容量等の影響により、相変わらず、バスラインＢＵＳ１０上を伝搬する信号に乱れが発生し、回路の誤動作、データの損失、不正アクセスなどの弊害が発生する可能性があった。
【０００４】
図６は、従来のバスライン上の活線挿抜パッケージの構成方法を説明するための説明図であり、バックボードパッケージＰＫＧ１に実装されるパラレルバスからなるバスラインＢＵＳ１０のコネクタＣＮ１に対して活線挿抜パッケージＰＫＧ２ＺのコネクタＣＮ２を着脱した際に、活線挿抜による反射等の低減を行うためのシリーズ抵抗Ｒ１，Ｒ２，…，Ｒｎが各信号線に挿入されている様子を示している。
【０００５】
また、特許文献１の特開平１１−２９８１７２号公報「活線挿抜装置と挿抜工具」では、作業者の挿抜操作如何によって生じる電源信号や論理信号の立ち上がりや立ち下がりのシーケンスのばらつきを防止するために、信号バスラインと論理部との間の各信号線にスイッチ素子を挿入して、パッケージの挿抜時に、当該パッケージにおける本来の機能を実現するための動作に必要な回路部に対する電力供給を遅延させるという技術も提案されている。
【特許文献１】特開平１１−２９８１７２号公報（第３−４頁）
【発明の開示】
【発明が解決しようとする課題】
【０００６】
しかしながら、従来技術は、バスラインに直列（シリーズ）に抵抗を挿入することにより反射等の低減を行おうとしているが、回路の浮遊容量等の影響によって、活線挿抜時に、バスライン上の信号に乱れが発生するという問題点が依然として残ってしまうし、前記特許文献１の技術でも、活線挿抜パッケージの挿入時に、該活線挿抜パッケージの論理部への電力供給が直ちに行われるように制御されているため、バスライン上を伝搬する信号に乱れが発生するという問題点が依然として残ってしまう。
【０００７】
本発明は、かかる問題に鑑みてなされたものであり、パッケージの挿抜時にバスライン上の信号に乱れが生じることを防止可能な活線挿抜方法および活線挿抜パッケージを提供することを目的としている。
【課題を解決するための手段】
【０００８】
前述の課題を解決するため、本発明による活線挿抜方法および活線挿抜パッケージは、次のような特徴的な構成を採用している。
【０００９】
（１）信号を伝搬するバスラインに接続するパッケージを通電状態のまま着脱する活線挿抜方法において、前記パッケージ内に、外部からの電源供給の開始または終了を検知した際に、前記バスラインと当該パッケージ内の各回路部とを接続する各信号線の接続状態を開放するバススイッチ素子を備え、前記バススイッチ素子以外の当該パッケージ内の各回路部に対する電源供給を開始または終了するまでの時点を、前記バススイッチ素子への電源供給の開始時点または終了時点から、あらかじめ定めた所定遅延時間だけ遅延させる活線挿抜方法。
（２）前記バススイッチ素子以外の当該パッケージ内の各回路部に対する電源供給が開始された後あらかじめ定めた一定時間経過した後、前記バススイッチ素子を閉成状態に切り替える上記（１）の活線挿抜方法。
（３）信号を伝搬するバスラインに接続するパッケージを通電状態のまま着脱する活線挿抜方法において、前記パッケージ内に、外部からの電源供給の開始または終了を検知した際に、前記バスラインと当該パッケージ内の各回路部とを接続する各信号線の接続状態を開放するバススイッチ素子を備え、当該パッケージがバスマスタの場合、前記バススイッチ素子以外の当該パッケージ内の各回路部から前記バスラインに対するアクセス要求が発生した際に、前記バススイッチ素子を閉成させるストローブ信号を出力する活線挿抜方法。
（４）信号を伝搬するバスラインに接続するパッケージを通電状態のまま着脱する活線挿抜方法において、前記パッケージ内に、外部からの電源供給の開始または終了を検知した際に、前記バスラインと当該パッケージ内の各回路部とを接続する各信号線の接続状態を開放するバススイッチ素子を備え、当該パッケージがバススレーブの場合、前記バスラインから前記バススイッチ素子以外の当該パッケージ内の各回路部に対するアクセス要求が発生した際に、前記バススイッチ素子を閉成させるストローブ信号を出力する活線挿抜方法。
（５）前記パッケージ内に外部から電源供給を行うためのコネクタと前記バスラインに接続する各信号線用のコネクタとが、同一のコネクタから構成されている上記（１）ないし（４）のいずれかの活線挿抜方法。
（６）前記パッケージ内に外部から電源供給を行うためのコネクタと前記バスラインに接続する各信号線用のコネクタとが、別個のコネクタから構成されている上記（１）ないし（４）のいずれかの活線挿抜方法。
（７）信号を伝搬するバスラインに対して通電状態のまま着脱する活線挿抜パッケージにおいて、外部からの電源供給の開始または終了を検知した際に、前記バスラインと当該活線挿抜パッケージ内の各回路部とを接続する各信号線の接続状態を開放するバススイッチ素子を備え、かつ、前記バススイッチ素子以外の当該活線挿抜パッケージ内の各回路部に対する電源供給を開始または終了するまでの時点を、前記バススイッチ素子への電源供給の開始時点または終了時点から、あらかじめ定めた所定遅延時間だけ遅延させる電源供給遅延手段を備えている活線挿抜パッケージ。
（８）前記バススイッチ素子以外の当該活線挿抜パッケージ内の各回路部に対する電源供給が開始された後あらかじめ定めた一定時間経過した後、前記バススイッチ素子を閉成状態に切り替える上記（７）の活線挿抜パッケージ。
（９）信号を伝搬するバスラインに対して通電状態のまま着脱する活線挿抜パッケージにおいて、外部からの電源供給の開始または終了を検知した際に、前記バスラインと当該活線挿抜パッケージ内の各回路部とを接続する各信号線の接続状態を開放するバススイッチ素子を備え、当該活線挿抜パッケージがバスマスタの場合、前記バススイッチ素子以外の当該活線挿抜パッケージ内の各回路部から前記バスラインに対するアクセス要求が発生した際に、前記バススイッチ素子を閉成させるストローブ信号を出力する活線挿抜パッケージ。
（１０）信号を伝搬するバスラインに対して通電状態のまま着脱する活線挿抜パッケージにおいて、外部からの電源供給の開始または終了を検知した際に、前記バスラインと当該活線挿抜パッケージ内の各回路部とを接続する各信号線の接続状態を開放するバススイッチ素子を備え、当該活線挿抜パッケージがバススレーブの場合、前記バスラインから前記バススイッチ素子以外の当該活線挿抜パッケージ内の各回路部に対するアクセス要求が発生した際に、前記バススイッチ素子を閉成させるストローブ信号を出力する活線挿抜パッケージ。
【発明の効果】
【００１０】
本発明によれば、通電状態のまま、活線挿抜パッケージをバスラインに活線挿入する際に、活線挿抜パッケージ内の各回路部に接続される信号線とバスラインとの接続を、あらかじめ定めた一定時間の間、オープン状態に設定するので、バスライン上を伝搬する信号への影響を完全に防止することができ、安全に活線挿抜の操作を行うことが可能になるという効果が得られる。
【発明を実施するための最良の形態】
【００１１】
以下、本発明による活線挿抜方法および活線挿抜パッケージの好適な実施例について添付図を参照して説明する。
【００１２】
（本発明の特徴）
本発明の実施例の説明に先立って、まず、本発明の特徴についてその概要を説明する。本発明は、活線状態にあって稼働中のバスラインに接続するボードつまり活線挿抜パッケージを、活線状態のまま、バスライン上に接続されている他のパッケージの動作に影響を及ぼすことなく、交換したり、増設したりすることが可能な活線挿抜方法および活線挿抜パッケージを実現することを、その特徴としている。
【００１３】
（実施例の構成）
図１は、本発明による活線挿抜装置の一構成例を説明するための説明図であり、本発明による活線挿抜パッケージＰＫＧ２の一構成例を示している。図１において、活線挿抜ＰＫＧ２に実装されたコネクタＣＮ２を、バックボードＰＫＧ１に実装されたコネクタＣＮ１に接続することにより、活線挿抜ＰＫＧ２は、バックボードパッケージＰＫＧ１に接続され、コネクタＣＮ２をコネクタＣＮ１から引き抜くことにより、活線挿抜ＰＫＧ２は、バックボードパッケージＰＫＧ１から離脱される。
【００１４】
バックボードパッケージＰＫＧ１には、信号を各回路部へ伝搬するためのパラレルバス形式からなるバスラインＢＵＳ１０が実装されており、例えば、活線挿抜パッケージＰＫＧ２に実装されている回路部と他のパッケージの回路部との間の信号の送受信は、バックボードパッケージＰＫＧ１のバスラインＢＵＳ１０を経由して行われる。ここで、バックボードパッケージＰＫＧ１には、コネクタＣＮ１と同様のコネクタを複数個実装することができ、活線挿抜パッケージＰＫＧ２のようなパッケージを、複数枚、接続することができる。
【００１５】
また、活線挿抜パッケージＰＫＧ２には、バックボードパッケージＰＫＧ１のバスラインＢＵＳ１０にコネクタＣＮ１、コネクタＣＮ２を介して接続される各信号線にバススイッチ素子ＩＣ１が挿入されており、各信号線の接続状態をオン／オフすることができる。さらに、活線挿抜パッケージＰＫＧ２には、電源遅延回路ＤＣ１が実装されており、バックボードパッケージＰＫＧ１からコネクタＣＮ１、コネクタＣＮ２を介して供給される供給電源ＬＶＣＣを、あらかじめ定めた所定遅延時間だけ遅延させて、内部供給電源ＶＣＣとして出力することにより、活線挿抜パッケージＰＫＧ２内の回路部つまりバススイッチ素子ＩＣ１以外の他のＩＣなどへ電源を供給する供給タイミングを、バススイッチ素子ＩＣ１へ電源供給するタイミングよりも前記所定遅延時間だけ遅延させるようにしている。
【００１６】
つまり、図１に示す実施例においては、バックボードパッケージＰＫＧ１のバスラインＢＵＳ１０にコネクタＣＮ１、コネクタＣＮ２を介して接続される活線挿抜パッケージＰＫＧ２の各信号線にバススイッチ素子ＩＣ１が挿入され、バックボードパッケージＰＫＧ１からの該バススイッチ素子ＩＣ１への電源供給を、活線挿抜パッケージＰＫＧ２内のバススイッチ素子ＩＣ１以外の他のＩＣなどの回路部への電源供給よりも先に行うようにして、バススイッチ素子ＩＣ１をまずオープン状態に設定することにより、バススイッチ素子ＩＣ１以外の他のＩＣなどの回路部とバスラインＢＵＳ１０とを接続するための各信号線を開放状態に設定して、活線挿抜パッケージＰＫＧ２の挿抜時において、バスラインＢＵＳ１０上を伝搬する信号への影響を抑制することを可能としている。
【００１７】
なお、バススイッチ素子ＩＣ１は、当該活線挿抜パッケージＰＫＧ２に対する外部からの電源供給の開始または終了を検知した際に、バスラインＢＵＳ１０と当該活線挿抜パッケージＰＫＧ２内の各回路部とを接続する各信号線の接続状態の開放を自律的に行い、かつ、バススイッチ素子ＩＣ１以外の当該活線挿抜パッケージＰＫＧ２内の各回路部に対する電源供給が開始された後あらかじめ定めた一定時間経過した後、閉成状態に切り替えることができるスイッチング素子である。また、電源遅延回路ＤＣ１は、バススイッチ素子ＩＣ１以外の当該活線挿抜パッケージＰＫＧ２内の各回路部に対する電源供給の開始時点または終了時点を、バススイッチ素子ＩＣ１への電源供給の開始時点または終了時点から、あらかじめ定めた所定遅延時間だけ遅延させる遅延素子である。
【００１８】
なお、前述のごとく、バックボードＰＫＧ１には、図２に示すように、活線挿抜パッケージＰＫＧ２のようなパッケージを複数枚例えばｎ枚接続することができ、コネクタＣＮ１と同様のコネクタが、複数個例えばｎ個用意されて、バスラインＢＵＳ１０に並列に接続されている。また、バスラインＢＵＳ１０は、本実施例では、低速のパラレルバスを例にとって説明しているが、如何なる伝搬速度のバスであっても良いし、また、シリアルバス形式のバスラインであってもかまわない。
【００１９】
図２は、図１に示す実施例におけるバックボードパッケージＰＫＧ１の構成を説明するための説明図であり、バックボードパッケージＰＫＧ１には、ｎ枚のパッケージを接続可能とするために、コネクタＣＮ１１、コネクタＣＮ１２、…、コネクタＣＮ１ｎのｎ個のコネクタが実装されている。図２においては、活線挿抜パッケージＰＫＧ２のコネクタＣＮ２が、バックボードパッケージＰＫＧ１のコネクタＣＮ１２に接続されている状態を例示している。
【００２０】
（本実施例の動作の説明）
次に、図１に示すような構成からなる活線挿抜パッケージＰＫＧ２のコネクタＣＮ２を、バックボードパッケージＰＫＧ１のコネクタＣＮ１に対して挿抜する際の動作について、活線挿抜パッケージＰＫＧ２の活線挿入時の動作を例にとって図３を用いて説明する。図３は、本発明による活線挿抜方法の動作の一例を説明するための説明図であり、活線挿抜パッケージＰＫＧ２のコネクタＣＮ２を、バックボードパッケージＰＫＧ１のコネクタＣＮ１に挿入した場合の動作の一例をかっこ付きの数字で示すステップで順を追って説明している。
【００２１】
まず、活線挿入時においては、バックボードパッケージＰＫＧ１に実装されたコネクタＣＮ１に対して、活線挿抜パッケージＰＫＧ２に実装されたコネクタＣＮ２を接続する（ステップ１）。これにより、バックボードパッケージＰＫＧ１と活線挿抜パッケージＰＫＧ２との間の信号線と電源線との間は、バックボードＰＫＧ１に実装されたコネクタＣＮ１と活線挿抜ＰＫＧ２に実装されたコネクタＣＮ２とを介して相互に接続され、バックボードＰＫＧ１に実装されたバスラインＢＵＳ１０と活線挿抜パッケージＰＫＧ２に実装されたバススイッチ素子ＩＣ１との間が接続され、バックボードＰＫＧ１からの電源が活線挿抜パッケージＰＫＧ２に実装されたバススイッチ素子ＩＣ１と電源遅延回路ＤＣ１とに供給される（ステップ２）。
【００２２】
ここで、コネクタＣＮ１、ＣＮ２間の接続と同時に、活線挿抜パッケージＰＫＧ２に実装されたバススイッチ素子ＩＣ１には、バックボードパッケージＰＫＧ１からの供給電源ＬＶＣＣが供給され、活線挿抜パッケージＰＫＧ２のバススイッチ素子ＩＣ１はただちに開放状態になり、バックボードパッケージＰＫＧ１のバスラインＢＵＳ１０と活線挿抜パッケージＰＫＧ２内のバススイッチ素子ＩＣ１以外のＩＣなどの各回路部とを接続する各信号線の接続状態はオープン状態になる（ステップ３）。
【００２３】
さらに、バックボードパッケージＰＫＧ１からの供給電源ＬＶＣＣにより活線挿抜パッケージＰＫＧ２に実装されたバススイッチ素子ＩＣ１が開放状態になった後、活線挿抜パッケージＰＫＧ２の電源遅延回路ＤＣ１により、あらかじめ定めた所定遅延時間だけ遅延して、バックボードパッケージＰＫＧ１からの供給電源ＬＶＣＣが内部供給電源ＶＣＣとして出力を開始し、活線挿抜パッケージＰＫＧ２に実装されたバススイッチ素子ＩＣ１以外のＩＣなどの各回路部に対して電源の供給が開始される（ステップ４）。
【００２４】
以上の動作により、活線挿抜パッケージＰＫＧ２に実装されたバススイッチ素子ＩＣ１以外のＩＣなどの回路部が、活線挿入直後に動作してしまって、バックボードパッケージＰＫＧ１のバスラインＢＵＳ１０上を伝搬する信号に対して影響を与えるような不具合が生じることを確実に防止することができる。ここで、活線挿抜パッケージＰＫＧ２に実装されたバススイッチ素子ＩＣ１以外のＩＣなどの各回路部に電源の供給が開始された後、あらかじめ定めた動作開始時間だけ経過した時点で、バススイッチ素子ＩＣ１を閉成状態に切り替える。
【００２５】
この結果、活線挿抜パッケージＰＫＧ２内のバススイッチ素子ＩＣ１以外のＩＣなどの各回路部に接続される各信号線は、バックボードパッケージＰＫＧ１のバスラインＢＵＳ１０に接続された状態に設定される。なお、活線挿抜パッケージＰＫＧ２内のバススイッチ素子ＩＣ１以外のＩＣなどの各回路部に接続される各信号線が、バックボードパッケージＰＫＧ１のバスラインＢＵＳ１０に接続される接続順序については、信号種別に応じた優先順序を付与して、該優先順序にしたがって段階的に接続するようにしても良い。
【００２６】
（本実施例の効果の説明）
本実施例においては、通電状態のまま、活線挿抜パッケージＰＫＧ２をバスラインＢＵＳ１０に活線挿入する際に、活線挿抜パッケージＰＫＧ２内のバススイッチ素子ＩＣ１以外の各回路部に接続される信号線とバスラインＢＵＳ１０との接続を、あらかじめ定めた一定時間の間、オープン状態に設定するので、バスラインＢＵＳ１０上を伝搬する信号への影響を完全に防止することができ、安全に活線挿抜の操作を行うことが可能となる。
【００２７】
（本発明の他の実施例）
前述した図１の実施例においては、活線挿抜パッケージＰＫＧ２への供給電源ＬＶＣＣの供給を、バックボードパッケージＰＫＧ１のコネクタＣＮ１から活線挿抜パッケージＰＫＧ２に実装されたコネクタＣＮ２を介して行っている例を示したが、図４に示すように、バックボードパッケージＰＫＧ１からではなく、活線挿抜パッケージＰＫＧ２Ａに実装された信号線用のコネクタＣＮ２とは別個に、電源供給用のコネクタとして活線挿抜パッケージＰＫＧ２Ａに実装されたコネクタＣＮ３を介して、電源から直接供給するようにしても良い。図４は、本発明による活線挿抜装置の図１とは異なる構成例を説明するための説明図であり、活線挿抜パッケージＰＫＧ２Ａに対する供給電源ＬＶＣＣを、バックボードパッケージＰＫＧ１のコネクタＣＮ１ではなく、電源との間を接続する電源供給用のコネクタＣＮ３を介して供給する場合の構成例を示している。
【００２８】
また、さらに異なる実施例として、活線挿抜パッケージを図５に示すような活線挿抜パッケージＰＫＧ２Ｂとして構成するようにしても良い。図５は、本発明による活線挿抜装置の図１とはさらに異なる構成例を説明するための説明図であり、活線挿抜パッケージＰＫＧ２に実装されたバススイッチ素子ＩＣ１、および、その他のＩＣなどの回路部に対する電源の供給タイミングを、同一のタイミングとする場合の一例を示している。つまり、図５の活線挿抜パッケージＰＫＧ２Ｂにおいては、図１に示す電源遅延回路ＤＣ１を備える代わりに、バックボードパッケージＰＫＧ１のバスラインＢＵＳ１０に接続する各信号線をストローブするストローブタイミングを制御するストローブ信号ＳＳ１またはストローブ信号ＳＳ２を適切なタイミングで生成して接続状態を制御するバススイッチ素子ＩＣ２またはバススイッチ素子ＩＣ３を備えている。
【００２９】
図５において、活線挿抜パッケージＰＫＧ２がバスマスタの場合には、活線挿抜パッケージＰＫＧ２の各信号線からバックボードパッケージＰＫＧ１のバスラインＢＵＳ１０に対してアクセスしない場合は、バススイッチ素子ＩＣ３をオープン状態（バスラインＢＵＳ１０と活線挿抜パッケージＰＫＧ２の各信号線とが接続されていない状態）にしておき、活線挿抜パッケージＰＫＧ２の各信号線のいずれかからバックボードパッケージＰＫＧ１のバスラインＢＵＳ１０に対してアクセスする場合は、ストローブ信号ＳＳ２を制御し、バススイッチ素子ＩＣ３をクローズ（バスラインＢＵＳ１０と活線挿抜パッケージＰＫＧ２の各信号線とが接続された状態）に設定する（図５の活線挿抜パッケージＰＫＧ２の下側の例）。
【００３０】
一方、活線挿抜パッケージＰＫＧ２がバススレーブの場合においては、バスラインＢＵＳ１０から活線挿抜パッケージＰＫＧ２の各信号線に対するアクセスがない場合は、バススイッチ素子ＩＣ２をオープン状態（バスラインＢＵＳ１０と活線挿抜パッケージＰＫＧ２の各信号線とが接続されていない状態）にしておき、バスラインから活線挿抜パッケージＰＫＧ２の各信号線に対するアクセスがある場合は、ストローブ信号ＳＳ１の変化に合わせて、バススイッチ素子ＩＣ２をクローズ（バスラインＢＵＳ１０と活線挿抜パッケージＰＫＧ２の各信号線とが接続された状態）に設定する（図５の活線挿抜パッケージＰＫＧ２の上側の例）。
【００３１】
かくのごときストローブ信号ＳＳ１、ＳＳ２を用いたバススイッチ素子ＩＣ２、ＩＣ３の出力制御を行うことにより、活線挿抜時のバックボードパッケージＰＫＧ１のバスラインＢＵＳ１０上を伝搬する信号に対する影響を完全に抑止することができる。
【００３２】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【図面の簡単な説明】
【００３３】
【図１】本発明による活線挿抜装置の一構成例を説明するための説明図である。
【図２】図１に示す実施例におけるバックボードパッケージの構成を説明するための説明図である。
【図３】本発明による活線挿抜方法の動作の一例を説明するための説明図である。
【図４】本発明による活線挿抜装置の図１とは異なる構成例を説明するための説明図である。
【図５】本発明による活線挿抜装置の図１とはさらに異なる構成例を説明するための説明図である
【図６】従来のバスライン上の活線挿抜パッケージの構成方法を説明するための説明図である。
【符号の説明】
【００３４】
ＢＵＳ１０              バスライン
ＣＮ１                  コネクタ
ＣＮ１１                コネクタ
ＣＮ１２                コネクタ
ＣＮ１ｎ                コネクタ
ＣＮ２                  コネクタ
ＣＮ３                  コネクタ
ＤＣ１                  電源遅延回路
ＩＣ１                  バススイッチ素子
ＩＣ２                  バススイッチ素子
ＩＣ３                  バススイッチ素子
ＬＶＣＣ                供給電源
ＰＫＧ２Ｚ              活線挿抜パッケージ
ＰＫＧ１                バックボードパッケージ
ＰＫＧ２                活線挿抜パッケージ
ＰＫＧ２Ａ              活線挿抜パッケージ
ＰＫＧ２Ｂ              活線挿抜パッケージ
Ｒ１，Ｒ２，…，Ｒｎ    抵抗
ＳＳ１                  ストローブ信号
ＳＳ２                  ストローブ信号
ＶＣＣ                  内部供給電源
【図１】
2008269376.tif 000003
【図２】
2008269376.tif 000004
【図３】
2008269376.tif 000005
【図４】
2008269376.tif 000006
【図５】
2008269376.tif 000007
【図６】
2008269376.tif 000008